【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
ビデオデータを符号化するための方法であって、
ピクチャにおいて、前記ピクチャ内で符号化されるブロックに対して、複数の隣接する再構築されたブロックを再構築するために使用される情報に基づいて、前記ブロックの複数の隣接する再構築されたブロックから１つの隣接するサンプルのセットを選択することと、
参照ピクチャから、前記隣接するサンプルのセットに対応する別のサンプルのセットを選択することと、
前記選択された隣接するサンプルのセットおよび前記選択された別のサンプルのセットに基づいて、前記ブロックに対する１つ以上の照度補償パラメータを判定することと、
前記判定された１つ以上の照度補償パラメータに基づいて、前記ブロックに対する予測ブロックを調整することと、
前記調整された予測ブロックを使用して、前記ブロックを符号化することと、を含む、方法。
【請求項２】
前記複数の隣接する再構築されたブロックを再構築するために使用される前記情報が、前記ブロックを再構築するためにも使用される、請求項１に記載の方法。
【請求項３】
前記複数の隣接する再構築されたブロックを再構築するために使用される前記情報が、（１）前記複数の隣接する再構築されたブロックの参照ピクチャ情報と、（２）前記複数の隣接する再構築されたブロックの動きベクトル情報と、のうちの１つ以上を含む、請求項１に記載の方法。
【請求項４】
前記隣接するサンプルのセットを前記選択することが、前記複数の隣接する再構築されたブロックの特定のブロックに対して、
前記特定のブロックが、前記ブロックと同じ参照ピクチャを共有するかどうかを判定することをさらに含み、前記特定のブロックが、前記判定することに基づいて選択される、請求項３に記載の方法。
【請求項５】
前記隣接するサンプルのセットを前記選択することが、前記複数の隣接する再構築されたブロックの特定のブロックに対して、
前記特定のブロックの動きベクトル値と前記ブロックの動きベクトル値との間の差が、閾値未満であるかどうかを判定することをさらに含み、前記特定のブロックが、前記判定することに基づいて選択される、請求項３に記載の方法。
【請求項６】
ビデオデータを復号するための装置であって、
ピクチャにおいて、前記ピクチャ内で復号されるブロックに対して、複数の隣接する再構築されたブロックを再構築するために使用される情報に基づいて、前記ブロックの複数の隣接する再構築されたブロックから１つの隣接するサンプルのセットを選択することと、
参照ピクチャから、前記隣接するサンプルのセットに対応する別のサンプルのセットを選択することと、
前記選択された隣接するサンプルのセットおよび前記選択された別のサンプルのセットに基づいて、前記ブロックに対する１つ以上の照度補償パラメータを判定することと、
前記判定された１つ以上の照度補償パラメータに基づいて、前記ブロックに対する予測ブロックを調整することと、
前記調整された予測ブロックに基づいて、前記ブロックを復号することと、を含む、方法。
【請求項７】
前記複数の隣接する再構築されたブロックを再構築するために使用される前記情報が、前記ブロックを再構築するためにも使用される、請求項６に記載の方法。
【請求項８】
前記複数の隣接する再構築されたブロックを再構築するために使用される前記情報が、（１）前記複数の隣接する再構築されたブロックの参照ピクチャ情報と、（２）前記複数の隣接する再構築されたブロックの動きベクトル情報と、のうちの１つ以上を含む、請求項６に記載の方法。
【請求項９】
前記隣接するサンプルのセットを前記選択することが、前記複数の隣接する再構築されたブロックの特定のブロックに対して、
前記特定のブロックが、前記ブロックと同じ参照ピクチャを共有するかどうかを判定することをさらに含み、前記特定のブロックが、前記判定することに基づいて選択される、請求項８に記載の方法。
【請求項１０】
前記隣接するサンプルのセットを前記選択することが、前記複数の隣接する再構築されたブロックの特定のブロックに対して、
前記特定のブロックの動きベクトル値と前記ブロックの動きベクトル値との間の差が、閾値未満であるかどうかを判定することをさらに含み、前記特定のブロックが、前記判定することに基づいて選択される、請求項８に記載の方法。
【請求項１１】
ビデオデータを符号化するための装置であって、
１つ以上のプロセッサを備え、前記１つ以上のプロセッサが、
ピクチャにおいて、前記ピクチャ内で符号化されるブロックに対して、複数の隣接する再構築されたブロックを再構築するために使用される情報に基づいて、前記ブロックの複数の隣接する再構築されたブロックから１つ以上の隣接するサンプルを選択することと、
参照ピクチャから、前記隣接するサンプルのセットに対応する別のサンプルのセットを選択することと、
前記選択された隣接するサンプルのセットおよび前記選択された別のサンプルのセットに基づいて、前記ブロックに対する１つ以上の照度補償パラメータを判定することと、
前記判定された１つ以上の照度補償パラメータに基づいて、前記ブロックに対する予測ブロックを調整することと、
前記調整された予測ブロックを使用して、前記ブロックを符号化することと、を行うように構成される、装置。
【請求項１２】
前記複数の隣接する再構築されたブロックを再構築するために使用される前記情報が、前記ブロックを再構築するためにも使用される、請求項１１に記載の装置。
【請求項１３】
前記複数の隣接する再構築されたブロックを再構築するために使用される前記情報が、（１）前記複数の隣接する再構築されたブロックの参照ピクチャ情報と、（２）前記複数の隣接する再構築されたブロックの動きベクトル情報と、のうちの１つ以上を含む、請求項１１に記載の装置。
【請求項１４】
前記１つ以上のプロセッサが、前記複数の隣接する再構築されたブロックに対して、前記特定のブロックが前記ブロックと同じ参照ピクチャを共有するかどうかを判定することにより、前記隣接するサンプルのセットを選択するようにさらに構成される、請求項１３に記載の装置。
【請求項１５】
前記１つ以上のプロセッサが、前記複数の隣接する再構築されたブロックに対して、前記特定のブロックの動きベクトル値と前記ブロックの動きベクトル値との間の差が、閾値未満であるかどうかを判定することにより、前記隣接するサンプルのセットを選択するようにさらに構成される、請求項１３に記載の装置。
【請求項１６】
ビデオデータを復号するための装置であって、
１つ以上のプロセッサを備え、前記１つ以上のプロセッサが、
ピクチャにおいて、前記ピクチャ内で復号されるブロックに対して、複数の隣接する再構築されたブロックを再構築するために使用される情報に基づいて、前記ブロックの複数の隣接する再構築されたブロックから１つ以上の隣接するサンプルを選択することと、
参照ピクチャから、前記隣接するサンプルのセットに対応する別のサンプルのセットを選択することと、
前記選択された隣接するサンプルのセットおよび前記選択された別のサンプルのセットに基づいて、前記ブロックに対する１つ以上の照度補償パラメータを判定することと、
前記判定された１つ以上の照度補償パラメータに基づいて、前記ブロックに対する予測ブロックを調整することと、
前記調整された予測ブロックに基づいて、前記ブロックを復号することと、を含む、装置。
【請求項１７】
前記複数の隣接する再構築されたブロックを再構築するために使用される前記情報が、前記ブロックを再構築するためにも使用される、請求項１６に記載の装置。
【請求項１８】
前記複数の隣接する再構築されたブロックを再構築するために使用される前記情報が、（１）前記複数の隣接する再構築されたブロックの参照ピクチャ情報と、（２）前記複数の隣接する再構築されたブロックの動きベクトル情報と、のうちの１つ以上を含む、請求項１６に記載の装置。
【請求項１９】
前記１つ以上のプロセッサが、前記複数の隣接する再構築されたブロックに対して、前記特定のブロックが前記ブロックと同じ参照ピクチャを共有するかどうかを判定することにより、前記隣接するサンプルのセットを選択するようにさらに構成される、請求項１８に記載の装置。
【請求項２０】
前記１つ以上のプロセッサが、前記複数の隣接する再構築されたブロックに対して、前記特定のブロックの動きベクトル値と前記ブロックの動きベクトル値との間の差が、閾値未満であるかどうかを判定することにより、前記隣接するサンプルのセットを選択するようにさらに構成される、請求項１８に記載の装置。